(57)【要約】【課題】  画像劣化を防止することができるファクシミリ装置を提供する。【解決手段】  ネットワークに接続が可能で、かつ、受信したＦＡＸ文書を他のマシンやＰＣに配信することが可能で、かつ、大サイズのＦＡＸ送受信が可能なファクシミリ装置において、大サイズでＦＡＸ受信したデータを他のマシンやＰＣに配信し、他のサーバとなったマシンや、ネットワーク上のプリンタで印刷する場合、大サイズでＦＡＸ受信した画像を配信する際に、定型サイズに縮小して配信する制御を行うシステム制御手段１１を備えた。【選択図】  図１
2005218064.tif 000002
【特許請求の範囲】
【請求項１】
ネットワークに接続され、受信したＦＡＸ文書を前記ネットワークを介して他のマシンやＰＣに配信することが可能で、且つ大サイズのＦＡＸ送受信が可能なファクシミリ装置において、
大サイズでＦＡＸ受信したデータを他のマシンやＰＣに配信し、当該データを他のサーバとなったマシンや、ネットワーク上のプリンタで印刷する場合、前記大サイズでＦＡＸ受信した画像を前記他のマシンやＰＣに配信する際に、定型サイズに縮小して配信する制御を行うシステム制御手段を備えたことを特徴とするファクシミリ装置。
【請求項２】
ネットワークに接続され、受信したＦＡＸ文書を前記ネットワークを介して他のマシンやＰＣに配信することが可能で、且つ大サイズのＦＡＸ送受信が可能なファクシミリ装置において、
大サイズでＦＡＸ受信したデータを他のマシンやＰＣに配信し、当該データを他のサーバとなったマシンや、ネットワーク上のプリンタで印刷する場合、大サイズでＦＡＸ受信した画像を前記他のマシンやＰＣに配信する際に、定型サイズに縮小し、かつ、解像度を上げて配信する制御を行うシステム制御手段を備えたことを特徴とするファクシミリ装置。
【請求項３】
請求項２記載のファクシミリ装置において、
前記大サイズでＦＡＸ受信したデータを他のマシンやＰＣに配信し、当該データを他のサーバとなったマシンや、ネットワーク上のプリンタで印刷する場合、前記大サイズでＦＡＸ受信した画像を配信する際に、さらにスムージング処理を行うことを特徴とするファクシミリ装置。
【発明の詳細な説明】
【技術分野】
【０００１】
本発明は、ネットワークに接続され、大サイズの送受信が可能で、且つ受信したＦＡＸ文書をネットワーク上の他のマシンやＰＣに配信することが可能なファクシミリ装置に関する。
【背景技術】
【０００２】
ネットワークに接続されたファクシミリ装置において、受信した文書（受信ファイル）を印刷せずにネットワーク上の他のサーバ（ＰＣ等）に配信するといったことが行われるようになっている。これは主にＦＡＸ受信物のペーパーレス化を目的としている。ユーザーはＰＣで配信先のサーバの受信文書を、各種ユーティリティを使い閲覧し、必要な文書だけを他のＭＦＰ（ＦＡＸ機能プリンタ機能、スキャナ機能等を併せ持つ多機能機）やプリンタから印刷するというようなことを行っている。斯かる従来技術として、例えば特許文献１が知られている。
【特許文献１】特開平１１−３４１２１３号公報
【発明の開示】
【発明が解決しようとする課題】
【０００３】
このため、受信したＦＡＸ文書は配信先でどのようなプリンタやマシンから印刷されるかわからず、画像によっては間引かれ横線が切れてしまったり、スムージング処理が行われず、がたがたの画像が出力される可能性も生じてしまう。
特に近年では、Ａ２サイズ、Ｂ３サイズのような大サイズのＦＡＸ送受信が可能なシステムも使用されるようになり、プリンタがＡ２、Ｂ３サイズに対応していないために画像切れが発生したり、縮小の際、画像劣化が生じる問題が発生している。
本発明は、画像劣化を防止することができるファクシミリ装置を提供することを目的とする。
【課題を解決するための手段】
【０００４】
上記目的を達成するために、請求項１記載の発明は、ネットワークに接続され、受信したＦＡＸ文書を前記ネットワークを介して他のマシンやＰＣに配信することが可能で、且つ大サイズのＦＡＸ送受信が可能なファクシミリ装置において、大サイズでＦＡＸ受信したデータを他のマシンやＰＣに配信し、当該データを他のサーバとなったマシンや、ネットワーク上のプリンタで印刷する場合、前記大サイズでＦＡＸ受信した画像を前記他のマシンやＰＣに配信する際に、定型サイズに縮小して配信する制御を行うシステム制御手段を備えたことを特徴とする。
請求項２記載の発明は、ネットワークに接続され、受信したＦＡＸ文書を前記ネットワークを介して他のマシンやＰＣに配信することが可能で、且つ大サイズのＦＡＸ送受信が可能なファクシミリ装置において、大サイズでＦＡＸ受信したデータを他のマシンやＰＣに配信し、当該データを他のサーバとなったマシンや、ネットワーク上のプリンタで印刷する場合、大サイズでＦＡＸ受信した画像を前記他のマシンやＰＣに配信する際に、定型サイズに縮小し、かつ、解像度を上げて配信する制御を行うシステム制御手段を備えたことを特徴とする。
請求項３記載の発明は、請求項２記載のファクシミリ装置において、前記大サイズでＦＡＸ受信したデータを他のマシンやＰＣに配信し、当該データを他のサーバとなったマシンや、ネットワーク上のプリンタで印刷する場合、前記大サイズでＦＡＸ受信した画像を配信する際に、さらにスムージング処理を行うことを特徴とする。
【発明の効果】
【０００５】
請求項１によれば、大サイズでＦＡＸ受信した画像を、定型サイズへＯＲ間引き等で定型サイズに縮小して配信することで、配信先の任意の印刷機で、画像が切られたり、単純間引きが行われて画像が劣化してしまうことを防ぐことが可能となる。
請求項２によれば、大サイズでＦＡＸ受信した画像を定型サイズに縮小する際に、解像度を上げることにより、結果的に画像を間引く処理をなくすことが可能で、劣化していない画像を配信することが可能となる。
請求項３によれば、請求項２の処理の際に、さらにスムージング処理を施すことで、配信先のサーバから任意のマシンやプリンターで印刷する際に、印刷機でスムージング機能を持っていなかったとしても、滑らかな画像で印刷することができる。
【発明を実施するための最良の形態】
【０００６】
以下、本発明の実施の形態を図面に従って説明する。
図１は本発明の実施の形態に係るファクシミリ装置の機能ブロック図である。本ファクシミリ装置は、スキャナ１、プロッタ２、圧縮データ格納メモリ３、画データ伸長部４、伸長データ展開メモリ５、操作部６、表示部７、画データ圧縮部８、ネットワークコントロール部９、モデムＮＣＵ部１０、全体を制御するシステム制御部１１を備え、ネットワークに接続が可能で、かつ、大サイズで受信したＦＡＸ文書をネットワーク上の他のサーバやマシンに配信することができるファクシミリ装置である。
図２は本発明のファクシミリ装置における第１の処理例を示すフローチャートである。
（ステップ１）配信処理スタート。
（ステップ２）ＦＡＸ受信文書ファイルをオープン。
（ステップ３）対象画像は大サイズか？（ファイル情報より）大サイズである。→ステップ４へ。大サイズでない。→ステップ５へ。
（ステップ４）縮小処理を行う。※この際の処理はＯＲ間引き等で、画像の劣化を最小限度に抑える。
（ステップ５）配信先にデータを転送する。
（ステップ６）ＦＡＸ受信文書ファイルをクローズする。
（ステップ７）配信処理終了。
図３は本発明のファクシミリ装置における第２の処理例を示すフローチャートである。
（ステップ１）配信処理スタート。
（ステップ２）ＦＡＸ受信文書ファイルをオープン。
（ステップ３）対象画像は大サイズか？（ファイル情報より）大サイズである。→ステップ４へ。大サイズでない。→ステップ６へ。
（ステップ４）定型サイズへの縮率と、解像度を上げる倍率から、処理を行う縮率を計算する。＜＜例＞＞Ａ２（２００×１００ｄｐｉ）→Ａ３（４００×４００ｄｐｉ）の場合、（Ａ２→Ａ３の縮率は７０％とする）主走査：０．７×２＝１．４倍、副走査：０．７×４＝２．８倍
（ステップ５）倍密処理を行う。※倍密度処理は副走査ラインを２倍や４倍、任意の倍率にラインを増やす処理で、ソフトウエアでコピーするかハード的に行うか、２種類の方法が考えられる。
（ステップ６）配信先にデータを転送する。
（ステップ７）ＦＡＸ受信文書ファイルをクローズする。
（ステップ８）配信処理終了。
【０００７】
図４は本発明のファクシミリ装置における第３の処理例を示すフローチャートである。
（ステップ１）配信処理スタート。
（ステップ２）ＦＡＸ受信文書ファイルをオープン。
（ステップ３）対象画像は大サイズか？（ファイル情報より）大サイズである。→ステップ４へ。大サイズでない。→ステップ７へ。
（ステップ４）定型サイズへの縮率と、解像度を上げる倍率から、処理を行う縮率を計算する。＜＜例＞＞Ａ２（２００×１００ｄｐｉ）→Ａ３（４００×４００ｄｐｉ）の場合、（Ａ２→Ａ３の縮率は７０％とする）主走査：０．７×２＝１．４倍、副走査：０．７×４＝２．８倍
（ステップ５）倍密処理を行う。※倍密度処理は副走査ラインを２倍や４倍、任意の倍率にラインを増やす処理で、ソフトウエアでコピーするかハード的に行うか、２種類の方法が考えられる。
（ステップ６）スムージング処理を行う。※ＦＡＸの２値のスムージング処理は、通常、５×５等のマトリクスを画像データから抽出し、そのマトリクスの白黒データのパターンにマッチングするデータを、予め用意してあるスムージングデータに変換する。こうすることで、画像（特に文字）のぎざぎざがなくなり滑らかになる。ソフトウエアでも処理は可能であるが、処理時間がかかるため通常はハードウエアで行う。
（ステップ７）配信先にデータを転送する。
（ステップ８）ＦＡＸ受信文書ファイルをクローズする。
（ステップ９）配信処理終了。
【０００８】
ＦＡＸで受信した文書を任意のサーバに配信し、配信先で印刷する際に、縮小が必要な場合、印刷側の処理によっては元の画像から単純に等間隔にラインを間引いてから印刷を行う。その場合、細い横線等がちょうど間引かれ消えてしまうことがある。
本発明では、このようなことを防ぐために、大サイズでＦＡＸ受信した画像を他のサーバへ配信する前に、予め定型サイズ（Ａ３、Ｂ４、Ａ４サイズ等）に縮小する。この際の処理ではＯＲ間引き等で行えば、ラインが消えてしまうこともなく、画像の劣化を最小限にすることが可能となる。
また、本発明では、ファクシミリ装置で大サイズ画像を受信して配信する際に、倍密処理等で解像度を上げて配信を行う。この処理により、例えば２００×１００ｄｐｉのＡ２サイズの画像を受信して配信する場合、Ａ２→Ａ３サイズへの縮小で約７０％の縮小が必要であるが、２００×１００ｄｐｉを４００×４００ｄｐｉへ解像度を上げて配信すれば、結果的に主走査は１．４倍、副走査は２．８倍となるため、画像が間引かれて劣化してしまうことがなくなる。
ファクシミリ装置で受信した文書を任意のサーバに配信し、配信先で印刷する際に、印刷側の処理によってはスムージングがうまく処理できない場合がある。２値のスムージングデータを持っていなかったり、適応するスムージングのパターンを持っていなかったりすることが考えられる。
このようなことを防ぐために、本発明では、大サイズのＦＡＸ受信した画像を他のサーバへ配信する前に、上記の処理を行い、かつ、この時にスムージング処理を行い、滑らかになった画像を配信する。こうすることで、配信先のサーバから任意のマシンやプリンターで印刷する際に、印刷機でスムージング機能を持っていなかったとしても、滑らかな画像で印刷することができる。
【図面の簡単な説明】
【０００９】
【図１】本発明の実施の形態に係るファクシミリ装置の機能ブロック図である。
【図２】本発明のファクシミリ装置における第１の処理例を示すフローチャートである。
【図３】本発明のファクシミリ装置における第２の処理例を示すフローチャートである。
【図４】本発明のファクシミリ装置における第３の処理例を示すフローチャートである。
【符号の説明】
【００１０】
１１  システム制御部（システム制御手段）
【図１】
2005218064.tif 000003
【図２】
2005218064.tif 000004
【図３】
2005218064.tif 000005
【図４】
2005218064.tif 000006